(57)【要約】  【課題】  本体を樹脂製とした場合にクッション樹脂材の熱的劣化を防止する。  【解決手段】  上面に天井１に当接するスポンジ樹脂などのクッション樹脂材２を貼り付け下面にランプ３を設けた本体４を備えた天井取付用の照明器具であって、前記本体４は樹脂製であり、その上面に間隔を置いて立設したリブ５の上面に渡って前記クッション樹脂材２を貼り付けている照明器具である。すなわち、ランプ３の発熱により相当に熱せられた樹脂製の本体４は、その放熱性が悪いために温度上昇が相当に大きくなるが、クッション樹脂材２は本体４の上面には直接触れることがないため、クッション樹脂材２の熱的劣化を相当に緩和できる。【選択図】  図１
2005235557.tif 000002
【特許請求の範囲】
【請求項１】
上面に天井に当接するクッション樹脂材を貼り付け下面にランプを設けた本体を備えた天井取付用の照明器具であって、前記本体は樹脂製であり、その上面に間隔を置いて立設したリブの上面に渡って前記クッション樹脂材を貼り付けている照明器具。
【請求項２】
請求項１において、天井に設置された引掛ローゼットに接続されるアダプタを備え、本体の下面には、前記アダプタが通る前記本体の孔に向かって弾性付勢され前記アダプタに係止される被係止部が設けられ、リブは前記被係止部の上方付近に位置している照明器具。
【請求項３】
請求項１において、天井に設置され係止段部付きの引掛ローゼットを備え、本体の下面には、前記引掛ローゼットが通る前記本体の孔に向かって弾性付勢され前記係止段部に係止される被係止部が設けられ、リブは前記被係止部の上方付近に位置している照明器具。
【発明の詳細な説明】
【技術分野】
【０００１】
本発明は、天井取付用の照明器具に関する。
【背景技術】
【０００２】
上面に天井に当接するスポンジ樹脂などのクッション樹脂材を貼り付け下面にランプを設けた本体を備えた天井取付用の照明器具は、特許文献１などで公知である。なお、クッション樹脂材は本体の水平姿勢を良好に維持したり、不用意に回転されにくいために必要であり、最近の天井取付用の照明器具では大抵使用されている。
【特許文献１】実用新案登録第２５４７２７５号公報
【発明の開示】
【発明が解決しようとする課題】
【０００３】
しかし、最近では高ワットのランプを使用した照明器具が主流を占め、照明器具の内部温度上昇も著しいものがある。このような場合、本体が金属製であると放熱性が良好なため、本体の上面に貼り付けられたクッション樹脂材の熱的劣化には別段、関心が払われていない。本発明は、軽量化などの観点から、本体を樹脂製とした場合にクッション樹脂材の熱的劣化を防止することに着目しようとするものである。
【課題を解決するための手段】
【０００４】
本発明を要約すると、上面に天井に当接するクッション樹脂材を貼り付け下面にランプを設けた本体を備えた天井取付用の照明器具であって、前記本体は樹脂製であり、その上面に間隔を置いて立設したリブの上面に渡って前記クッション樹脂材を貼り付けている照明器具である。
【発明の効果】
【０００５】
本発明によれば、樹脂製の本体の上面に、間隔を置いて立設したリブの上面に渡ってクッション樹脂材を貼り付けているため、クッション樹脂材の熱的劣化を相当に緩和できる。また、リブはたわみやすい樹脂製の本体の補強にもなっている。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
まず、図１、２の第一実施形態を参照して説明すると、上面に天井１に当接するスポンジ樹脂などのクッション樹脂材２を貼り付け下面にランプ３を設けた本体４を備えた天井取付用の照明器具であって、前記本体４は樹脂製であり、その上面に間隔を置いて一体的に立設したリブ５の上面に渡って前記クッション樹脂材２を貼り付けている照明器具である。すなわち、ランプ３の発熱により相当に熱せられる樹脂製の本体４は、その放熱性が悪いために温度上昇が相当に大きくなるが、クッション樹脂材２は本体４の上面には直接触れることがないため、クッション樹脂材２の熱的劣化を相当に緩和できる。また、リブ５はたわみやすい樹脂製の本体４の補強にもなっている。なお、クッション樹脂材２としてはその下面にあらかじめ粘着剤を塗布したものを用い、リブ５の上端に粘着貼り付けするとよい。
【０００８】
さらに述べると、天井１に設置された引掛ローゼット６に接続されるアダプタ７を備え、本体４の下面には、前記アダプタ７が通る前記本体４の孔８に向かってコイルバネ９などで弾性付勢され前記アダプタ７に係止される被係止部１０が設けられ、リブ５は前記被係止部１０の上方付近に位置している。これにより、樹脂製の本体４において被係止部１０のある付近をリブ５により補強できて、本体４のたわみを減少でき、本体４がソフトなクッション樹脂材２を介して天井１に接する場合において、本体４のたわみ減少により被係止部１０とアダプタ７との係止関係を安定化できる効果は大きい。
【０００９】
さらに詳述すれば、アダプタ７上面に設けた引掛刃１１は引掛ローゼット６下面の円弧孔(図示せず)に差し込み回転されて受電されている。アダプタ７は、引掛ローゼット６から受電した交流電源を単に本体４側に中継するものであってもよいし、また、アダプタ７の内部にリモコン受信回路や高周波点灯回路などを実装した点灯制御回路基板を設けて、その制御出力でランプ３を点灯制御するものであってもよい。本体４をアダプタ７に取り付けるために本体４を押し上げると、アダプタ７は本体４の孔８に通される。その際、被係止部１０はコイルバネ９の弾性付勢に抗して後退してから、図１のように、コイルバネ９の弾性付勢により突出されてアダプタ７の上面に係止される。なお、本体４をアダプタ７から取り外すときは、被係止部１０の外側下部に連設された係止解除部１２をコイルバネ９の弾性付勢に抗して外向きに変位操作するとよい。また、被係止部１０・係止解除部１２及びコイルバネ９は本体４に固定したケース１３によりスライド可能に保持されている。次に、本体４の下面に設けたソケット１４からの図示されないリード線をコネクタを介して、アダプタ７の側面のコネクタ(図示せず)に接続し、次いでソケット１４にランプ３を装着する。なお、環状の蛍光ランプであるランプ３はソケット１４以外の箇所において他の支持具３０を介して本体４に支持されるものである。そして、グローブ１５を本体４の下面に適宜手段により取り付けて施工が完了する。
【００１０】
なお、図示した角型の引掛ローゼット６の代わりに丸型の引掛ローゼットが設置されていると、その高さは相対的に低いため、アダプタ７は図１の位置より高い位置になるため、被係止部１０はアダプタ７の上面より溝を挟んで一段低くなった係止段部１６に係止される。
【００１１】
次に、図３の第二実施形態は、天井１に設置され係止段部１７付きの引掛ローゼット１８を備え、本体４の下面には、前記引掛ローゼット１８が通る前記本体４の孔８に向かって弾性付勢され前記係止段部１７に係止される被係止部１０が設けられ、リブ５は前記被係止部１０の上方付近に位置している照明器具である。これにより、樹脂製の本体４において被係止部１０のある付近をリブ５により補強できて、本体４のたわみを減少でき、本体４がソフトなクッション樹脂材２を介して天井１に接する場合において、本体４のたわみ減少により被係止部１０と引掛ローゼット１８との係止関係を安定化できる効果は大きい。なお、引掛ローゼット１８は最近普及してきたタイプのものであるが、このように、前述のようなアダプタ７がなくても本発明が適用されるものである。また、引掛ローゼット１８の下面には引掛刃１１のある引掛プラグ１９が接続されて本体４側に交流電源が受電可能になっており、図示されない点灯回路などによりランプが点灯可能となっている。
【００１２】
次に、図４の第三実施形態について説明する。図４は、図１、２の照明器具を斜め天井２０に取り付けた状態を示したものである。そのための構成を要約すると、樹脂製の本体４を備えた天井取付用の照明器具であって、前記本体４には図２のように数箇所にて細筋２１で本体４につながって形成された複数のノックアウト片２２を備え、ノックアウト片２２を打ち抜いてできるノックアウト孔２３に筒体２４を差し込むことにより、筒体２４を通じてねじ２５を斜め天井２０に螺合できる照明器具である。この構成により、本体４には細筋２１で本体４につながって形成された複数のノックアウト片２２を形成しておき、通常の水平天井１の場合はノックアウト片２２を打ち抜かないで使用し、斜め天井２０の場合に打ち抜いてから、筒体２４とねじ２５により取り付けるとよい。なお、筒体２４の下端にはノックアウト孔２３より大径の鍔部２６を有し、筒体２４の内部にはねじ２５のねじ部のみ貫通でき頭部は貫通できない内周縁部２７が形成される。
【図面の簡単な説明】
【００１３】
【図１】本発明の第一実施形態を示す断面図
【図２】同本体の上面図
【図３】本発明の第二実施形態を示す断面図
【図４】本発明の第三実施形態を示す断面図
【符号の説明】
【００１４】
１  天井
２  クッション樹脂材
３  ランプ
４  本体
５  リブ
６  引掛ローゼット
７  アダプタ
８  孔
１０  被係止部
１７  係止段部
１８  引掛ローゼット
２０  斜め天井
２１  細筋
２２  ノックアウト片
２３  ノックアウト孔
２４  筒体
２５  ねじ
２６  鍔部
２７  内周縁部
【図１】
2005235557.tif 000003
【図２】
2005235557.tif 000004
【図３】
2005235557.tif 000005
【図４】
2005235557.tif 000006